【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
ネットワーク境界を定義するネットワークファイアウォールを備えるネットワークに接続される場合に、クライアントデバイスを動作させる方法であって、前記クライアントデバイスが少なくとも第１のビヘイビアーおよび第２のビヘイビアーをサポートする、方法において、
ネットワークデバイスへの要求を導くステップであって、前記ネットワークデバイスは、前記ネットワークに接続され、前記要求に対して少なくとも第１の応答、または前記第１の応答とは異なる第２の応答を提供するようになされ、前記第１の応答は、前記ネットワークに接続される前記ネットワークファイアウォール内のクライアントデバイスから前記要求が受信されるときに提供され、前記第２の応答は、前記ネットワークファイアウォールの外側で、前記ネットワークに接続されるクライアントデバイスから前記要求が受信されるときに提供される、要求を導くステップと、
前記第１の応答が検出されるとき、前記ネットワークに接続中に前記第１のビヘイビアーに従って動作するよう前記クライアントデバイスを構成するステップと、
前記第２の応答が検出されるとき、前記ネットワークに接続中に前記第２のビヘイビアーに従って動作するよう前記クライアントデバイスを構成するステップと
を含む、方法。
【請求項２】
前記第１の応答は、前記ネットワークデバイスを認証する情報を、前記クライアントデバイスが受信するときに検出され、
前記第２の応答は、ある間隔の間に、前記ネットワークデバイスを認証する情報を、前記クライアントデバイスが受信しないときに検出される、
請求項１に記載の方法。
【請求項３】
前記ネットワークデバイス上で、
前記クライアントデバイスから前記要求を受信するステップであって、前記要求は前記クライアントデバイスのアドレスを含む、前記要求を受信するステップと、
前記クライアントデバイスの前記アドレスが、物理的に前記ネットワーク上にある位置、またはＶＰＮを介して前記ネットワークに接続される位置を明らかにするとき、前記第１の応答を用いて応答するステップと、
前記クライアントデバイスの前記アドレスが、前記ネットワークファイアウォール内ではない位置を明らかにするとき、前記第２の応答を用いて応答するステップと
をさらに含む、請求項２に記載の方法。
【請求項４】
前記ネットワークデバイス上で、
前記クライアントデバイスから前記要求を受信するステップであって、前記要求は前記クライアントデバイスのアドレスを含む、前記要求を受信するステップと、
前記クライアントデバイスの前記アドレスが、物理的に前記ネットワーク上にある位置を明らかにするとき、前記第１の応答を用いて応答するステップと、
前記クライアントの前記アドレスが、物理的に前記ネットワーク上にない位置、またはＶＰＮを介して前記ネットワークに接続される位置を明らかにするとき、前記第２の応答を用いて応答するステップと
をさらに含む、請求項２に記載の方法。
【請求項５】
前記ネットワークデバイスは第１のネットワークデバイスを含み、前記ネットワークは第２のネットワークデバイスを含む、請求項２に記載の方法であって、
前記第２のネットワークデバイス上で、
前記クライアントデバイスから前記要求を受信するステップであって、前記要求は前記クライアントデバイスのアドレスを含む、前記要求を受信するステップと、
前記クライアントデバイスの前記アドレスが、物理的にまたは仮想的に前記ネットワーク上にある位置を明らかにするとき、前記要求を前記第１のネットワークデバイスに提供するステップと、
前記クライアントデバイスの前記アドレスが、前記ネットワークファイアウォール内ではない位置を明らかにするとき、前記要求が前記第１のネットワークデバイスに到達するのをブロックするステップと
をさらに含む、方法。
【請求項６】
前記ネットワークデバイスは第１のネットワークデバイスを含み、前記ネットワークは第２のネットワークデバイスを含む、請求項３に記載の方法であって、
前記第２のネットワークデバイス上で、
前記第１のネットワークデバイスから、前記要求に対する応答を受信するステップであって、前記応答は前記クライアントデバイスのアドレスを含む、前記要求に対する応答を受信するステップと、
前記クライアントデバイスの前記アドレスが、物理的に前記ネットワーク上にある位置を明らかにするとき、前記クライアントデバイスに前記応答を提供するステップと、
前記クライアントデバイスの前記アドレスが、物理的に前記ネットワーク上にない位置を明らかにするとき、前記応答が前記クライアントデバイスに到達するのをブロックするステップと
をさらに含む、方法。
【請求項７】
前記ネットワークは、企業アドレスプレフィックスを有する企業ネットワークを含む、請求項１に記載の方法であって、
前記要求が、前記企業アドレスプレフィックスを含むソースアドレスによって明らかにされるとき、前記第１の応答を作成するステップと、
前記要求が、前記企業アドレスプレフィックスを有さないソースアドレスによって明らかにされるとき、前記第２の応答を作成するステップと
をさらに含む、方法。
【請求項８】
前記第１のビヘイビアーに従って動作するよう前記クライアントデバイスを構成する前記ステップは、前記第２のビヘイビアーに従って動作するよう前記クライアントデバイスが構成されるときよりも制限的でないポリシーでファイアウォールを構成するステップを含む、請求項７に記載の方法。
【請求項９】
ネットワークに接続されるようになされるクライアントデバイスであって、
当該クライアントデバイス上の動作に影響を与えるコンポーネントであって、前記コンポーネントは少なくとも第１の状態および第２の状態で動作可能である、コンポーネントと、
実行されるとき、
ネットワークデバイスへの要求を導くステップであって、前記要求はソースアドレス部分を含むソースアドレスを含み、前記ネットワークデバイスは少なくとも第１の応答および第２の応答を提供するようになされ、前記要求に対する前記第１の応答は、前記ソースアドレス部分が、前記ネットワークを識別するネットワークアドレス部分に一致するときに提供され、前記要求に対する前記第２の応答は、前記ソースアドレス部分が、前記ネットワークアドレス部分に一致しないときに提供される、要求を導くステップ、
前記第１の応答が検出されるとき、前記ネットワークに接続中に前記コンポーネントを前記第１の状態で動作するよう構成するステップ、および
前記第２の応答が検出されるとき、前記ネットワークに接続中に前記コンポーネントを前記第２の状態で動作するよう構成するステップ
を含む方法を実行する、コンピューター実行可能命令と
を含む、コンピューター記憶域媒体
を含む、クライアントデバイス。
【請求項１０】
前記コンポーネントがファイアウォールを含む、請求項９に記載のクライアントデバイス。
【請求項１１】
前記コンピューター記憶域媒体が、前記ネットワークデバイスのＩＤを記憶するようになされるフィールドをさらに含む、請求項９に記載のクライアントデバイス。
【請求項１２】
前記コンピューター記憶域媒体が、前記ネットワークデバイスについての認証情報を記憶するようになされる少なくとも１つのフィールドをさらに含み、
前記コンピューター実行可能命令によって実行される前記方法は、前記認証情報を使用して応答が前記ネットワークデバイスによって生成されたことを認証しようと試みることにより、前記応答が前記第１の応答かどうかを確かめるステップをさらに含む、
請求項１１に記載のクライアントデバイス。
【請求項１３】
前記ネットワークデバイスがサーバーを含み、前記第１の応答がＨＴＴＰＳページを含む、請求項９に記載のクライアントデバイス。
【請求項１４】
前記要求が送信された後の時間を指示するようになされるタイミングコンポーネントをさらに含み、
前記コンピューター実行可能命令によって実行される前記方法は、前記要求が送信された後の前記時間をもって前記第１の応答が受信されないとき、前記第２の応答を検出するステップをさらに含む、
請求項９に記載のクライアントデバイス。
【請求項１５】
前記クライアントデバイスが前記ネットワークに直接接続される場合に、および前記クライアントデバイスが前記ネットワークに間接的に接続される場合に、企業ネットワークにアクセスするためのコンポーネントをさらに含む、請求項９に記載のクライアントデバイス。